(57)【要約】【課題】  パチンコ機の前面枠とガラス枠とをそれぞれ施錠するものであって、不正に遊戯されたパチンコ機における錠の交換を極めて簡単且つ迅速に行ない、その作業効率を向上させること。【解決手段】  主側板１ａと従側板１ｂとが直角を構成して断面略Ｌ字形となる施錠ベース体１の主側板１ａに押え部２が形成されること。該押え部２を介してラック８が前記主側板１ａを長手方向に沿って摺動自在に装着され、前記ラック８の長手方向の端部箇所には前面枠施錠鉤部４及びガラス枠施錠鉤部６を揺動させる前面枠施錠リンク部５及びガラス枠施錠リンク部７が連結されること。前記施錠ベース体１の従側板１ｂには、ピニオン１１が装着された錠１０が固着され、前記ピニオン１１と前記ラック８との接触状態のみで前記錠１０が着脱方向に移動可能としてなること。【選択図】      図１
0003105567.tif 000002
【実用新案登録請求の範囲】
【請求項１】
主側板と従側板とが直角を構成して断面略Ｌ字形となる施錠ベース体の主側板に押え部が形成され、該押え部を介してラックが前記主側板を長手方向に沿って摺動自在に装着され、前記ラックの長手方向の端部箇所には前面枠施錠鉤部及びガラス枠施錠鉤部を揺動させる前面枠施錠リンク部及びガラス枠施錠リンク部が連結され、前記施錠ベース体の従側板には、ピニオンが装着された錠が固着され、前記ピニオンと前記ラックとの接触状態のみで前記錠が着脱方向に移動可能としてなることを特徴とするパチンコ機用枠施錠装置。    
【請求項２】
主側板と，錠取付貫通部を有する従側板とが断面略Ｌ字形を構成してなる施錠ベース体と、前記主側板に押え部を介して前記主側板を長手方向に沿って摺動自在に装着されるラックと、該ラックの摺動方向端部に連結される前面枠施錠リンク部とガラス枠施錠リンク部と、前記前面枠施錠リンク部及びガラス枠施錠リンク部に連結され，前記ラックの摺動動作にて揺動する前面枠施錠鉤部とガラス枠施錠鉤部と、錠本体部とフランジ部とからなり，前記錠本体部が前記従側板の錠取付貫通部に挿入されるとともに前記フランジ部を介して従側板に固着具にて固定される錠と、該錠の錠軸に固着されるピニオンとからなり、前記錠及びピニオンからなる外形領域の前方範囲内には前記ラックのみを存在させてなることを特徴とするパチンコ機用枠施錠装置。
【請求項３】
主側板と，錠取付貫通部を有する従側板とが断面略Ｌ字形を構成してなる施錠ベース体と、前記主側板に押え部を介して前記主側板を長手方向に沿って摺動自在に装着されるラックと、該ラックの摺動方向端部に連結される前面枠施錠リンク部とガラス枠施錠リンク部と、前記前面枠施錠リンク部及びガラス枠施錠リンク部に連結され，前記ラックの摺動動作にて揺動する前面枠施錠鉤部とガラス枠施錠鉤部と、錠本体部とフランジ部とからなり，前記錠本体部が前記従側板の錠取付貫通部に挿入されるとともに前記フランジ部を介して従側板に固着具にて固定される錠と、該錠の錠軸に固着されるピニオンとからなり、前記錠及びピニオンからなる外形領域の前方範囲内には前記ラックのみを存在させ、前記押え部は、前記施錠ベース体の主側板の一部が切り起こされて、断面略Ｌ字形状とし、前記ラックが前記押え部と主側板に挟持されてなることを特徴とするパチンコ機用枠施錠装置。
【請求項４】
主側板と，錠取付貫通部を有する従側板とが断面略Ｌ字形を構成してなる施錠ベース体と、前記主側板に押え部を介して前記主側板を長手方向に沿って摺動自在に装着されるラックと、該ラックの摺動方向端部に連結される前面枠施錠リンク部とガラス枠施錠リンク部と、前記前面枠施錠リンク部及びガラス枠施錠リンク部に連結され，前記ラックの摺動動作にて揺動する前面枠施錠鉤部とガラス枠施錠鉤部と、錠本体部とフランジ部とからなり，前記錠本体部が前記従側板の錠取付貫通部に挿入されるとともに前記フランジ部を介して従側板に固着具にて固定される錠と、該錠の錠軸に固着されるピニオンとからなり、前記錠及びピニオンからなる外形領域の前方範囲内には前記ラックのみを存在させ、前記ラックはラック歯部の周囲に略額縁状の枠状部が形成され、前記ラック歯部と枠状部は長手方向両端箇所にて連続形成されてなることを特徴とするパチンコ機用枠施錠装置。
【請求項５】
主側板と，錠取付貫通部を有する従側板とが断面略Ｌ字形を構成してなる施錠ベース体と、前記主側板に押え部を介して前記主側板を長手方向に沿って摺動自在に装着されるラックと、該ラックの摺動方向端部に連結される前面枠施錠リンク部とガラス枠施錠リンク部と、前記前面枠施錠リンク部及びガラス枠施錠リンク部に連結され，前記ラックの摺動動作にて揺動する前面枠施錠鉤部とガラス枠施錠鉤部と、錠本体部とフランジ部とからなり，前記錠本体部が前記従側板の錠取付貫通部に挿入されるとともに前記フランジ部を介して従側板に固着具にて固定される錠と、該錠の錠軸に固着されるピニオンとからなり、前記錠及びピニオンからなる外形領域の前方範囲内には前記ラックのみを存在させ、前記ラックはラック歯部の周囲に略額縁状の枠状部が形成され、前記ラック歯部と枠状部は長手方向両端箇所にて連続形成され、前記ラックの枠状部の長手方向略中央箇所には凹み部が形成されてなることを特徴とするパチンコ機用枠施錠装置。
【考案の詳細な説明】
【技術分野】
【０００１】
本考案は、パチンコ機の前面枠とガラス枠とをそれぞれ施錠するものであって、不正に遊戯されたパチンコ機の錠交換を極めて簡単且つ迅速に行なうことができるパチンコ機用枠施錠装置に関する。
【背景技術】
【０００２】
パチンコ機において、一般に前面枠とガラス枠とをパチンコ本体から開閉する施錠装置が備わっている。この施錠装置には、１つの錠が備わっており、この錠に専用鍵を差し込みその正逆回転により、ガラス枠のみを開閉したり、前面枠のみを開閉させることができる。このような施錠装置は、特許文献１等に開示されている。
【特許文献１】実公平６−１７４５号
【考案の開示】
【考案が解決しようとする課題】
【０００３】
ところで、パチンコ店においては、パチンコ機で不正な手段にて遊戯が行なわれることにより、金銭的な被害が出ているケースが存在している。そして、前述した施錠装置を具備したパチンコ機において、不正な手段で遊戯が行なわれたときに、再犯を防止するために、施錠装置における錠を交換しなければならない必要が生じる場合がある。特許文献１には、ピニオンとラックとの組み合わせにより、錠の鍵操作がリンクに伝達されるものである。このような機種において、特に錠の交換作業では、ラックがリンク等の他の部品とともに、摺動自在に装着されており、錠をピニオンごと取り外すと、ラック以外の他の部品と位置的に干渉してしまうことになる。
【０００４】
特に錠本体は、ガラス枠部等に形成された収納室を構成する枠材内に収納され、且つその収納スペースは通常は錠の本体部がきっちりと収納されるスペースしか設けられていないことが多い。そのために、錠を取り外す場合には、錠の本体部分は前記収納スペースから軸方向に沿って一直線状に引き出さなければなず、錠を取り出すことができないことが多く、そのために、錠本体の引き出し角度を適宜に変化させつつ、引き出しを行なってもなかなか、錠を外すことが極めて困難である場合が多い。
【０００５】
それゆえに、前述したように、錠を引き出すときに他の部品と干渉してしまったら、取り外すことができず、やむをえず、その周辺の他の部品も取り外さなければならない。また、そのリベット等により固着手段が多く使用される場合等では、錠のみならず、周辺の部品も交換しなければならず、交換にかかる部品の費用もより多くかかってしまう。
【０００６】
特に、錠の周辺の部品は、複雑に連結された複数のリンク等である場合が多く、一旦これらの部品を取り外して、再度組み立てることは相当に面倒で且つ時間がかかるものである。このようなことから、錠の交換が頻繁に行なわれる可能性のある店では、錠の交換作業に時間がかかり、そのためにパチンコ店の金銭的な損害も多い。本考案の目的は、パチンコの施錠装置における錠の交換を極めて簡易且つ迅速に行なうことができるようにすることにある。
【課題を解決するための手段】
【０００７】
そこで、考案者は上記課題を解決すべく、鋭意，研究を重ねた結果、本考案を、主側板と従側板とが直角を構成して断面略Ｌ字形となる施錠ベース体の主側板に押え部が形成され、該押え部を介してラックが前記主側板を長手方向に沿って摺動自在に装着され、前記ラックの長手方向の端部箇所には前面枠施錠鉤部及びガラス枠施錠鉤部を揺動させる前面枠施錠リンク部及びガラス枠施錠リンク部が連結され、前記施錠ベース体の従側板には、ピニオンが装着された錠が固着され、前記ピニオンと前記ラックとの接触状態のみで前記錠が着脱方向に移動可能としてなるパチンコ機用枠施錠装置としたことにより、上記課題を解決したものである。
【０００８】
次に、主側板と，錠取付貫通部を有する従側板とが断面略Ｌ字形を構成してなる施錠ベース体と、前記主側板に押え部を介して前記主側板を長手方向に沿って摺動自在に装着されるラックと、該ラックの摺動方向端部に連結される前面枠施錠リンク部とガラス枠施錠リンク部と、前記前面枠施錠リンク部及びガラス枠施錠リンク部に連結され，前記ラックの摺動動作にて揺動する前面枠施錠鉤部とガラス枠施錠鉤部と、錠本体部とフランジ部とからなり，前記錠本体部が前記従側板の錠取付貫通部に挿入されるとともに前記フランジ部を介して従側板に固着具にて固定される錠と、該錠の錠軸に固着されるピニオンとからなり、前記錠及びピニオンからなる外形領域の前方範囲内には前記ラックのみを存在させてなるパチンコ機用枠施錠装置としたことにより、上記課題を解決したものである。
【０００９】
次に、前述の構成において、前記押え部は、前記施錠ベース体の主側板の一部が切り起こされて、断面略Ｌ字形状とし、前記ラックが前記押え部と主側板に挟持されてなるパチンコ機用枠施錠装置としたことにより、上記課題を解決したものである。また前記ラックはラック歯部の周囲に略額縁状の枠状部が形成され、前記ラック歯部と枠状部は長手方向両端箇所にて連続形成されてなるパチンコ機用枠施錠装置としたことにより上記課題を解決したものである。さらに前記枠状部には前記錠の錠軸に対応する位置に凹み部が形成されてなるパチンコ機用枠施錠装置としたことにより、上記課題を解決したものである。
【考案の効果】
【００１０】
請求項１又は請求項２の考案によれば、施錠ベース体に装着された錠の正面側において、ラックを除く他の部材は一切存在しないようにしたものである。したがって、錠の交換を行なう場合の取外し又は取付けにおいて、その錠は錠軸方向に沿って、施錠ベース体から何ら当接したり干渉されたりすることがなく、スムーズに錠を取り外すことができる。さらに、その錠の取外しに際して、該錠以外の部品を取り外す必要がないので、錠の交換を極めて簡易且つ迅速に行なうことができ、作業効率を向上させるものである。
【００１１】
次に、請求項３の考案によれば、ラックの施錠ベース体への装着構造を極めて簡単にすることができ、ひいては低価格にて提供することができるものである。次に、請求項４の考案によれば、ラックは、その歯底の厚さを小さくしても、枠状部により、力学的強度を強固なものにすることができ、これによって前記ラックを小型化して、錠周辺箇所の総合的な省スペース化を図ることができ、ひいては、パチンコ機用枠施錠装置全体の小型化及び軽量化を実現することができる。さらに、請求項５の考案によれば、ラック歯部から抜け出したピニオンが凹み部を通過することで、前記錠は、略錠軸方向に沿って施錠ベース体からより一層スムーズに、取り外すことができるものである。
【考案を実施するための最良の形態】
【００１２】
以下、本考案の実施形態を図面に基づいて説明する。パチンコ機は、図１０に示すように、機枠１９の前面に前面枠部２０が開閉自在に装着される。該前面枠部２０の前面にはガラス枠部２３が開閉自在に装着される。前記前面枠部２０の裏面には取付枠２１が固着され、該取付枠２１にパチンコ機構部２２が装着されている。また、前記前面枠部２０の裏面側で、開閉中心と反対側の位置にパチンコ機用枠施錠装置Ａが装着される。
【００１３】
そのパチンコ機用枠施錠装置Ａは、図１（Ａ），（Ｂ），図２（Ａ），図３（Ａ）等に示すように、施錠ベース体１，前面枠施錠鉤部４，前面枠施錠リンク部５，ガラス枠施錠鉤部６，ガラス枠施錠リンク部７等から構成されたものである。その施錠ベース体１は、板状に形成された主側板１ａと従側板１ｂとから構成されており、前記主側板１ａと従側板１ｂとが略直角を構成している。
【００１４】
すなわち、前記施錠ベース体１は、その長手方向に直交する断面形状が前記主側板１ａと従側板１ｂとによって、略「Ｌ」字形状に形成されたものである（図４参照）。その主側板１ａには、後述するラック８が摺動自在に装着されている。さらに、前記主側板１ａには、後述する押え部２が形成され、該押え部２により前記ラック８が主側板１ａ面上を所定の範囲において往復摺動自在となっている。その押え部２は、施錠ベース体１に一体的に形成されるものであって、後述するように折曲加工により形成される。
【００１５】
その押え部２は、図４，図６（Ｂ），（Ｃ）等に示すように、起立片２ａと押え片２ｂとからなるものであって、前記主側板１ａの所定の箇所に切抜き箇所が形成され、該切抜き箇所からまず前記起立片２ａが主側板１ａ上に折曲加工により立上り形成される。さらに、前記起立片２ａの上端から前記主側板１ａと略平行となるように折曲加工により押え片２ｂが形成される（図４参照）。そして、前記ラック８が前記主側板１ａと押え部２にて挟持されるようにして、前記ラック８が前記主側板１ａ上を摺動自在に固定される（図２，図３等参照）。
【００１６】
その押え部２は、後述するように、前記ラック８の一側の長辺側をその長手方向の端部箇所で押さえるようにして２箇所に形成されている（図２参照）。この２つの押え部２，２は、後述する錠１０を施錠ベース体１から取り外すときに、前記錠１０に形成されたフランジ部１０ｂ及び錠１０に装着されたピニオン１１と位置的に干渉しないような位置としている（図２，図３参照）。また、この押え部２は、前記施錠ベース体１の主側板１ａとは、別部材として形成され、前記主側板１ａに溶接等の固着手段によって、押え部２が固着されるものであってもかまわない。
【００１７】
また、前記主側板１ａの長手方向の両端箇所には、図１（Ａ）乃至（Ｃ）に示すように、前面枠施錠鉤部４が揺動自在に枢支連結されている。具体的には、前記主側板１ａにおける前記前面枠施錠鉤部４の装着箇所は、主側板１ａの表面側に円形状の膨出部が形成され、該膨出部上に前面枠施錠鉤部４がリベット，ピン等の枢支部材１３により、枢支連結され、その前面枠施錠鉤部４は前記枢支部材１３を揺動中心として揺動するものである。その前面枠施錠鉤部４と前記ラック８との間には、前面枠施錠リンク部５が連結され、前記ラック８の往復の摺動動作に伴って前記前面枠施錠鉤部４が揺動動作する。その前面枠施錠リンク部５は、前記ラック８を中心として、２つ存在している。
【００１８】
そして、さらにその２つの前面枠施錠リンク部５，５は、図１（Ａ），（Ｂ），図２（Ａ）等に示すように、長手方向の長さが異なっている。これは、ラック８の装着位置が施錠ベース体１の長手方向の中央よりもいずれか一方側の端部寄りに位置しているからである。また、２つの前面枠施錠リンク部５，５のうち、図１（Ａ），（Ｂ），図９（Ａ）乃至（Ｃ）等に示すように、長手方向に長い前面枠施錠リンク部５は、複数のリンク材５ａ，５ａ，…が直列状に連結されて構成されたものであり、具体的には、２本のリンク材５ａ，５ａからなる２部材構成としている。これらリンク材５ａ，５ａは、その一方側のリンク材５ａにピン９が固着され、他方側のリンク材５ａに連結孔５ａ1 が形成されて、このピン５ｂと連結孔５ａ1 により連結されるものであり、その連結孔５ａ1 は長孔状に形成されており、該連結孔５ａ1 内を前記ピン９が摺動自在となっている。
【００１９】
また、長手方向に短い前面枠施錠リンク部５は、一つのリンク材５ａのみで構成され、前記ラック８にピン９により連結されている。前記一つのリンク材５ａとラック８との連結が行なわれる箇所にも長孔状の連結孔５ａ1 が形成され、前記ピン９が摺動可能となっている。また、前面枠施錠リンク部５には、前記前面枠施錠鉤部４が起立している状態を維持する方向に付勢するようにスプリング材３が２つ前面枠施錠リンク部５，５と施錠ベース体１との間に掛け渡される。また、前記スプリング材３は前面枠施錠鉤部４と施錠ベース体１との間に掛け渡されることもある。そして、このピン連結箇所における長孔状の連結孔５ａ1 によって、隣接するリンク材５ａ，５ａ同士は、前面枠施錠リンク部５，５が開錠される方向とは反対側に移動するときには、そのラック８の往復動作が前記前面枠施錠鉤部４と直接連結しているリンク材５ａにまでは伝達されないようになっている。
【００２０】
さらに、前記主側板１ａには、その長手方向の両側箇所に２つのガラス枠施錠鉤部６，６が揺動自在となるようにリベット，ピン等の枢支部材１３により、枢支連結され、そのガラス枠施錠鉤部６は前記枢支部材１３を揺動中心として揺動するものである。さらに、そのガラス枠施錠鉤部６，６を揺動させるガラス枠施錠リンク部７がラック８との間にピン９，９を介して連結されている。さらに具体的には、前記２つのガラス枠施錠鉤部６，６は、前記ラック８の装着位置の一方側に適宜の間隔をおいて装着され、前記ガラス枠施錠リンク部７は、前記ラック８の長手方向の一端側，すなわち両ガラス枠施錠鉤部６，６が位置している側にピン９を介して枢支連結されている。
【００２１】
そして、前記ガラス枠施錠リンク部７も前記前面枠施錠リンク部５と同様に、複数のリンク材７ａ，７ａ，…から構成されており、その複数のリンク材７ａ，７ａ，…が前記ピン９により連結されている。このリンク材７ａ，７ａ，…の連結孔７ａ1 も前記連結孔５ａ1 と同様に長孔状に形成されている。そして、リンク材７ａ，７ａ同士のピン連結箇所における連結孔７ａ1 により、隣接するリンク材７ａ，７ａ同士は、ガラス枠施錠鉤部６，６が開錠される方向とは反対側に移動するときには、そのラック８の往復動作がリンク材７ａ，７ａ，…に伝達されないようになっている。また、ガラス枠施錠リンク部７は、２つのガラス枠施錠鉤部６，６をリンク材７ａにて連結するものであるが、その両ガラス枠施錠鉤部６，６との間には２本のリンク材７ａ，７ａがピン連結されている。
【００２２】
そして、両リンク材７ａ，７ａは、長孔状の連結孔５ａ1 とピン９により連結されている。そして、一方のガラス枠施錠鉤部６が鍵を使用しないで、不正な手段により強制的に開かれたとしても、前記リンク材７ａが隣接する他方側のリンク材７ａに動作を伝達せず、よって他方側のガラス枠施錠鉤部６を揺動させない仕組みとなっている。これによって、２つのガラス枠施錠鉤部６，６の一方が不正に開かれても、他方のガラス枠施錠鉤部６はロック状態を維持し、ガラス枠部２３が不正に開かれないようにしている。なお前記両ガラス枠施錠鉤部６，６は、ロック状態である直立状態を維持する方向に付勢するスプリング材３，３が施錠ベース体１との間に掛け渡されている。
【００２３】
このような構成によって、前記錠１０に挿入した鍵を１方向に回転させることで、鍵が錠軸１０ｃに回転を伝達し、その錠軸１０ｃに装着されたピニオン１１が回転して、ラック８を長手方向の１方側に沿って移動させ、前面枠施錠リンク部５を介して前面枠施錠鉤部４に揺動動作を伝達し、また前記鍵を前述とは反対方向に回転させることにより、ガラス枠施錠リンク部７を介して前記ガラス枠施錠鉤部６が揺動動作を行なうものである。また、前記鍵の正逆両回転で、前記前面枠施錠リンク部５及びガラス枠施錠リンク部７はそれぞれに形成された長孔状の連結孔５ａ1 及び連結孔７ａ1 によって、前面枠施錠鉤部４とガラス枠施錠鉤部６とが同時に揺動することがないように、それぞれの動作を制御することができる。
【００２４】
前記施錠ベース体１の従側板１ｂには、錠取付貫通部１ｃが形成されている。該錠取付貫通部１ｃは、前記主側板１ａのラック８装着位置に対応する位置に形成されたものである。その錠取付貫通部１ｃは、後述する錠１０の錠本体部１０ａが挿入されるものであって、錠本体部１０ａの断面形状に対応する形状となっている。すなわち、錠取付貫通部１ｃは、錠本体部１０ａの断面形状と特に同一とする必要はないが、前記錠本体部１０ａが挿入されたときに、適正な装着ができるように案内可能なものとしたものである。よって、錠取付貫通部１ｃの形状は、錠本体部１０ａと部分的に同一部分が存在するように形成されたものである。
【００２５】
前記錠取付貫通部１ｃの付近には、前記フランジ部１０ｂの取付孔に対応する位置に複数の螺子孔１ｄ，１ｄが形成されている。また、前記従側板１ｂには、前記ガラス枠施錠鉤部６の先端が挿通且つ突出するように鉤用貫通孔が形成されている。前記錠１０の施錠ベース体１からの取り外しは、前記従側板１ｂの錠取付貫通部１ｃから主側板１ａ側に沿って引き出すことにより行なわれるものである。また、前記錠１０の施錠ベース体１への取付は、前記錠１０のフランジ部１０ｂが前記錠取付貫通部１ｃの周囲に当接されてビス等の固着具にて固着されるものである。
【００２６】
そのラック８は、図５（Ａ）に示すように、ラック歯部８ａの周囲に枠状部８ｂが形成されている。その枠状部８ｂは、略長方形状の枠体に形成されたものである。またラック歯部８ａは、前記枠状部８ｂと長手方向の両端箇所にて連結するように連続形成されたものであり、そのラック歯部８ａと枠状部８ｂの幅方向両側には、筋状の隙間部が形成される。そして、そのラック８は、前述したように、前記施錠ベース体１の主側板１ａ側に配置され、前記押え部２により摺動自在に装着されたものである。
【００２７】
さらにラック８には、凹み部８ｃが形成されている。該凹み部８ｃは、ラック８の長手方向の略中間箇所で、且つ前記ラック歯部８ａの幅方向端部箇所に形成される。具体的には、図６（Ｂ），図５（Ａ），（Ｃ）等に示すように、その凹み部８ｃは前記枠状部８ｂに形成される。凹み部８ｃは、扁平状の窪みとした略逆台形状に形成されたものであり、後述するように、前記錠１０を施錠ベース体１から取り外すときに、その錠１０に装着されたピニオン１１がラック歯部８ａを除いて、他のラック８の部位と当接したり、干渉することがないようにする役目をなすものである。また、前記凹み部８ｃは、図５（Ａ），（Ｃ）に示すように、前記ラック８の幅方向両側に形成され、該ラック８が施錠ベース体１に装着される場合に、その幅方向において、何れ側を従側板１ｂよりに配置しても構わないようにすることもできる。
【００２８】
このラック８の施錠ベース体１への装着は、図４又は図６等に示すように、その枠状部８ｂが前記押え部２，２により主側板１ａに押さえられる構成となっている。このとき、前記ラック８は、長手方向に沿って往復摺動が滑らかに行なわれるように設置される。また、ラック８が施錠ベース体１から脱落しないように、ラック８の押え部２，２による支持とともに、施錠ベース体１の従側板１ｂ側によって、そのラック８の幅方向における支持がなされている（図４参照）。また、前記ラック８と前記前面枠施錠リンク部５及びガラス枠施錠リンク部７等との連結部位は、枠状部８ｂ側で行なわれる。具体的には、その枠状部８ｂの長手方向の両側端に、図５（Ａ），（Ｂ）に示すように、連結孔８ｄ，８ｄが形成され、該連結孔８ｄ，８ｄ箇所にて、前面枠施錠リンク部５のリンク材５ａ及びガラス枠施錠リンク部７のリンク材７ａとピン９を介して枢支連結されるものである。
【００２９】
また、前記ラック８の構成としては、前述のような前記ラック歯部８ａと枠状部８ｂとから構成されるタイプ以外に、略ラック歯部８ａのみから形成されるタイプも存在する。このタイプでは、前記ラック歯部８ａの長手方向の両側箇所に前面枠施錠リンク部５のリンク材５ａと、前記ガラス枠施錠リンク部７のリンク材７ａとの枢支連結部が形成されることになる。
【００３０】
次に、前記錠１０は、図６に示すように、錠本体部１０ａとフランジ部１０ｂから構成されており、前記錠本体部１０ａには錠軸１０ｃが装着され、該錠軸１０ｃが鍵の操作により回動する。そして、その錠軸１０ｃは錠本体部１０ａの外部に突出し、その突出した錠軸１０ｃ先端にピニオン１１が装着されビス，ボルト等により固定されている。そのピニオン１１は前記ラック８と噛み合うように設定され、前記錠軸１０ｃの回動とともに前記ピニオン１１が回動し、前記ラック８が往復摺動を行なうことができる。そのピニオン１１は、図３，図６等に示すように、円周の全体に亘って歯部成形領域１１ａが形成される必要はなく、略半周程度に亘って歯部成形領域１１ａが形成されていればよい。この錠１０は、フランジ部１０ｂが形成されている側を錠１０の正面側とする（図３，図４参照）。
【００３１】
そして、前記錠１０の正面側において、その施錠ベース体１の主側板１ａには、フランジ部１０ｂと、錠１０に装着されたピニオン１１によって構成される外形領域の前方範囲内に前記ラック８以外の部材は存在しないように設定されている。さらに好ましくは、前記ラック８のラック歯部８ａのみしか存在しないように設定される（図２，図３及び図６等参照）。そのフランジ部１０ｂとピニオン１１によって構成される外形領域の前方範囲内とは、前記錠１０を正面側（フランジ部１０ｂ形成側）より見て、そのピニオン１１とフランジ部１０ｂとが重合してみえる外形の領域，すなわち、ピニオン１１が装着された錠１０の正面側より見た投影像（又は投影図）のことである〔図７（Ａ）参照〕。
【００３２】
そして、そのフランジ部１０ｂとピニオン１１の外形領域の投影像による形状が図７（Ｂ）に示すように、錠１０の前方に延びて、構成される空間の領域内に前記ラック８のみが前記ピニオン１１と歯合可能な位置に存在し、他の前面枠施錠リンク部５又はガラス枠施錠リンク部７及び前記押え部２，２等は、前述した外形領域（投影像）内に存在しないようにしている。これによって、錠１０を施錠ベース体１の従側板１ｂの錠取付貫通部１ｃから取り外すときには、ラック８以外の他の部材とは、全く干渉されることなく、スムーズに錠１０を取り外すことができる。
【００３３】
そのパチンコ機用枠施錠装置Ａにおける施錠ベース体１の従側板１ｂが前記前面枠部２０に装着される。前面枠部２０には、前記錠１０の錠本体部１０ａが挿入する錠収納孔２０ａが形成され、その錠収納孔２０ａに収納された錠１０は、前記前面枠部２０の外部，すなわちガラス枠側から前記錠本体部１０ａに設けられた鍵穴が露出するようになっている。そして、作業員はその鍵穴から鍵操作を行い、ガラス枠部２３を開閉することができるようになっている。
【００３４】
次に、パチンコ機にて不正遊戯が行なわれ、錠１０を交換することが必要となった場合について説明する。まず、前記ガラス枠部２３を鍵穴に鍵を挿入して鍵操作を行い前面枠部２０を開く。そして、主側板１ａの錠取付貫通部１ｃにフランジ部１０ｂを介してビス等の固着具１２で固着された錠１０のフランジ部１０ｂから前記固着具１２を外す。そして、その錠１０を、該錠１０に装着された錠軸１０ｃの軸方向に沿って前記錠取付貫通部１ｃから引き出すようにして取り外す〔図２（Ｂ），図６（Ｂ），図８等参照〕。
【００３５】
このとき錠１０のフランジ部１０ｂと、錠軸１０ｃに装着されたピニオン１１による外形領域前方箇所には、図２，図６（Ｃ）等に示すように、前記ラック８が存在しているのみであり、図８（Ａ）に示すように、前記ピニオン１１はラック歯部８ａと歯合した状態にあるが、図８（Ｂ）乃至（Ｄ）に示すように、ピニオン１１はその歯合したラック歯部８ａの歯列方向に直交する方向に移動させることができる。また前記ラック８の枠状部８ｂに凹み部８ｃが形成されている場合には、そのピニオン１１が凹み部８ｃを通過することにより、前記枠状部８ｂに対しても干渉することなく、前記錠１０をより一層，スムーズに取り外すことができるものである。
【００３６】
この凹み部８ｃの存在は、後述する場合において特に有効である。すなわち、パチンコ機用枠施錠装置Ａが装着された前面枠部２０において、前記錠収納孔２０ａの形状及び大きさが前記錠１０の錠本体部１０ａの形状と略同一で、錠１０が錠収納孔２０ａに収納された状態では、余分なスペースが存在しないものである。このとき、前記錠１０を施錠ベース体１から取り外す行程で、錠本体部１０ａが錠収納孔２０ａから抜き出される際に、錠１０を上下左右に僅かに振ることさえできないこともありうる。このときには、前記錠１０は錠軸１０ｃの軸方向に沿ってのみしか移動させることができないが、前記ラック８に凹み部８ｃを設けたので、ピニオン１１の歯部成形領域１１ａがそのまま、凹み部８ｃを通過させることができ、錠１０をより一層スムーズに交換することができる。
【００３７】
このように前記施錠ベース体１において、その錠１０のフランジ部１０ｂ及びピニオン１１の外形領域における前方箇所には、前記ラック８のみが配置され、その他の部材は存在しないように設定しているので、施錠ベース体１から錠１０を交換する際には、前記錠１０のみを施錠ベース体１から取り外して、新たな錠１０と交換することができ、該錠１０の交換の際に伴う他の部材の取外し及び組立作業は一切なく、極めて簡単且つ効率的な作業にすることができるものである。
【図面の簡単な説明】
【００３８】
【図１】（Ａ）は本考案におけるパチンコ機用枠施錠装置の平面図、（Ｂ）はパチンコ機用枠施錠装置においてガラス枠施錠リンク部を除いて前面枠施錠リンク部の構成を示した状態の一部切除した状態の平面図、（Ｃ）はパチンコ機用枠施錠装置の正面図である。
【図２】（Ａ）はパチンコ機用枠施錠装置の錠取付け箇所における平面図、（Ｂ）は（Ａ）の要部の拡大図である。
【図３】（Ａ）はパチンコ機用枠施錠装置の錠取付け箇所における正面図、（Ｂ）は（Ａ）の要部の拡大図である。
【図４】パチンコ機用枠施錠装置を前面枠部に装着した状態の錠装着箇所における縦断側面図である。
【図５】（Ａ）はラックの平面図、（Ｂ）は（Ａ）のＸ1 −Ｘ1 矢視断端面図、（Ｃ）は（Ａ）のＸ2 −Ｘ2 矢視端面図、（Ｄ）は（Ａ）のＸ3 −Ｘ3 矢視断断面である。
【図６】（Ａ）は錠及びピニオンの分解斜視図、（Ｂ）は施錠ベース体から錠が外された状態の要部斜視図、（Ｃ）は施錠ベース体に錠が装着された状態の要部斜視図である。
【図７】（Ａ）は錠とピニオンとが重合した外形領域を示す正面図、（Ｂ）は錠の外形領域及び前方範囲内を示す状態図である。
【図８】（Ａ）は施錠ベース体に錠が装着されている状態図、（Ｂ）は錠の取外しが開始された状態図、（Ｃ）はピニオンがラックから外れた状態図、（Ｄ）は錠が施錠ベース体からの取り外しが略完了した状態図である。
【図９】（Ａ）は本考案におけるパチンコ機用枠施錠装置の錠装着箇所の拡大平面図、（Ｂ）はパチンコ機用枠施錠装置の中央箇所の拡大平面図、（Ｃ）はパチンコ機用枠施錠装置の錠装着箇所とは反対側箇所の拡大平面図である。
【図１０】本考案のパチンコ機用枠施錠装置を装着したパチンコ機における前面枠及びガラス枠をそれぞれ開いた状態の斜視図である。
【符号の説明】
【００３９】
１…施錠ベース体、１ａ…主側板、１ｂ…従側板、１ｃ…錠取付貫通部、２…押え部、４…前面枠施錠鉤部、６…ガラス枠施錠鉤部、７…ガラス枠施錠リンク部、８…ラック、８ａ…ラック歯部、８ｂ…枠状部、８ｃ…凹み部、１０…錠、１０ａ…錠本体部、
１０ｂ…フランジ部、１１…ピニオン、固着具１２。
【図１】
0003105567.tif 000003
【図２】
0003105567.tif 000004
【図３】
0003105567.tif 000005
【図４】
0003105567.tif 000006
【図５】
0003105567.tif 000007
【図６】
0003105567.tif 000008
【図７】
0003105567.tif 000009
【図８】
0003105567.tif 000010
【図９】
0003105567.tif 000011
【図１０】
0003105567.tif 000012